(57)【要約】【課題】蓄熱運転から冷房運転に切り替えた場合に、室内空間への温風吹き出し時間を短縮でき、室内空間の温度上昇を抑制することができる使用性の高い冷温水給湯装置を提供すること。【解決手段】圧縮機２１、冷媒対流体熱交換器２２、減圧手段２３、冷媒対空気熱交換器２４が接続された冷媒回路２と、循環手段５４、前記冷媒対流体熱交換器２２、流路切替手段６０、負荷側熱交換器５３が環状に接続された流体回路５と、前記冷媒対流体熱交換器２２にて加熱された流体温度を検出する温度センサ７０と、蓄熱タンク５５と、制御装置４とを備え、前記蓄熱タンク５５内の水を加熱する蓄熱運転から、前記負荷側熱交換器５３における冷房運転に変更され、かつ、前記温度センサ７０で検出される流体温度が所定値以上の場合には、前記循環手段５４の運転動作を停止または前記流体回路５における循環量を低下させることを特徴とする冷温水給湯装置。【選択図】図２
2012167889.tif 000002
【特許請求の範囲】
【請求項１】
圧縮機、冷媒対流体熱交換器、減圧手段、冷媒対空気熱交換器が接続された冷媒回路と、循環手段、前記冷媒対流体熱交換器、流路切替手段、負荷側熱交換器が環状に接続された流体回路と、前記流体回路から前記流路切替手段を介して分岐し、蓄熱タンクを経由して前記負荷側熱交換器と前記冷媒対流体熱交換器との間の前記流体回路に接続された蓄熱回路と、前記冷媒対流体熱交換器にて加熱された流体温度を検出する温度センサと、制御装置とを備え、前記流路切替手段を経由した流体が前記蓄熱タンク内の水を加熱する蓄熱運転から、前記負荷側熱交換器における冷房運転に変更され、かつ、前記温度センサで検出される流体温度が所定値以上の場合には、前記循環手段の運転動作を停止または前記流体回路における循環量を低下させることを特徴とする冷温水給湯装置。
【請求項２】
圧縮機、冷媒対流体熱交換器、減圧手段、冷媒対空気熱交換器が接続された冷媒回路と、循環手段、前記冷媒対流体熱交換器、流路切替手段、負荷側熱交換器が環状に接続された流体回路と、前記流体回路から前記流路切替手段を介して分岐し、蓄熱タンクを経由して前記負荷側熱交換器と前記冷媒対流体熱交換器との間の前記流体回路に接続された蓄熱回路と、前記冷媒対流体熱交換器にて加熱された流体温度を検出する温度センサと、制御装置とを備え、前記流路切替手段を経由した流体が前記蓄熱タンク内の水を加熱する蓄熱運転から、前記負荷側熱交換器における冷房運転に変更され、かつ、前記温度センサで検出される流体温度が所定値未満の場合に、前記流路切替手段を前記負荷側熱交換器側に切り替えることを特徴とする冷温水給湯装置。
【請求項３】
前記温度センサで検出される流体温度が所定値以上の場合には、前記冷媒対流体熱交換器と前記蓄熱回路とを、前記流体が循環することを特徴とする請求項２に記載の冷温水給湯装置。
【発明の詳細な説明】
【技術分野】
【０００１】
本発明は、ヒートポンプを用いて室内空間の冷暖房や蓄熱タンクへの蓄熱を行う冷温水給湯装置に関する。
【背景技術】
【０００２】
従来、冷媒回路の冷媒対流体熱交換器の蒸発潜熱を利用して低温の流体を生成して循環させ、負荷側熱交換器が吸熱を行なって室内空間を冷却する冷房運転を行なったり、冷媒対流体熱交換器の凝縮潜熱を利用して高温の流体を生成して循環させ、流体が蓄熱タンクを加熱する蓄熱運転を行なったりする冷温水給湯装置が知られている（例えば、特許文献１参照）。
【０００３】
上記特許文献１には、図７に示すような冷凍サイクル装置１００を用いて室内空間の冷暖房や蓄熱タンク３００への蓄熱を行うことが開示されている。
【０００４】
この冷凍サイクル装置１００は、冷媒を循環させる冷媒回路１１０、圧縮機１１１、四方弁１１２、冷媒対流体熱交換器１１３、減圧手段１１４、空気対流体熱交換器１１５が配管により環状に接続されて構成されている。
【０００５】
冷媒対流体熱交換器１１３は、冷媒回路１１０と、流体回路２１０とを備えている。流体回路２１０は、冷媒対流体熱交換器１１３、循環手段２２０、流路切替手段２３０を備えている。流路切替手段２３０を切り替えて、流体を負荷側熱交換器や蓄熱タンク３００へ流通させる。負荷側熱交換器は、熱交換器と送風ファンを備えたファンコイルユニット等である。
【０００６】
冷房運転の場合、冷媒対流体熱交換器１１３で生成した低温の流体は流路切替手段２３０を経由して負荷側熱交換器へ流通し、負荷側熱交換器を介して室内空間から吸熱して室内空間を冷却した後、冷媒対流体熱交換器１１３へ戻り流体回路２１０を循環する。
【０００７】
蓄熱運転の場合、冷凍サイクル装置１００は四方弁１１２を切り替え、冷房運転の場合と比べ、冷媒の流れる方向を逆転させる。
【０００８】
冷媒対流体熱交換器１１３で生成した高温の流体は流路切替手段２３０を経由して蓄熱タンク３００へ流通し、蓄熱タンク３００へ放熱して蓄熱タンク３００を加熱し蓄熱した後、冷媒対流体熱交換器１１３へ戻り流体回路２１０を循環する。蓄熱タンク３００内で加熱された流体は、給湯等に使われる。
【０００９】
冷房運転から蓄熱運転へ切り替える場合や、蓄熱運転から冷房運転へ切り替える場合は、流路切替手段２３０を切り替える。
【００１０】
このように、冷媒対流体熱交換器１１３で低温の流体や高温の流体を生成し、流路切替手段２３０を切り替えて流体を搬送している。
【００１１】
つまり、流路切替手段２３０を切り替えることにより、冷媒対流体熱交換器１１３から流出した流体の搬送先を変えて、冷房運転の場合に室内空間の冷却を行ったり、蓄熱運転の場合に蓄熱タンク３００を加熱し蓄熱を行ったりする。
【先行技術文献】
【特許文献】
【００１２】
【特許文献１】欧州特許出願公開第２２０４６２０号明細書
【発明の概要】
【発明が解決しようとする課題】
【００１３】
しかしながら、前記従来の構成では蓄熱運転から冷房運転に切り替えた場合、冷媒対流体熱交換器１１３と流路切替手段２３０との間に滞留している高温の流体が負荷側熱交換器へ流通する。
【００１４】
その結果、高温の流体が負荷側熱交換器を介して室内空間へ放熱し、負荷側熱交換器から温風が吹き出して室内空間の温度上昇が継続し、室内空間の快適性が低下するという課題を有していた。
【００１５】
本発明は、前記従来の課題を解決するもので、蓄熱運転から冷房運転に切り替えた場合に、室内空間への温風吹き出し時間を短縮でき、室内空間の温度上昇を抑制することができる使用性の高い冷温水給湯装置を提供することを目的とする。
【課題を解決するための手段】
【００１６】
前記従来の課題を解決するために、本発明の冷温水給湯装置は、圧縮機、冷媒対流体熱交換器、減圧手段、冷媒対空気熱交換器が接続された冷媒回路と、循環手段、前記冷媒対流体熱交換器、流路切替手段、負荷側熱交換器が環状に接続された流体回路と、前記流体回路から前記流路切替手段を介して分岐し、蓄熱タンクを経由して前記負荷側熱交換器と前記冷媒対流体熱交換器との間の前記流体回路に接続された蓄熱回路と、前記冷媒対流体熱交換器にて加熱された流体温度を検出する温度センサと、制御装置とを備え、前記流路切替手段を経由した流体が前記蓄熱タンク内の水を加熱する蓄熱運転から、前記負荷側熱交換器における冷房運転に変更され、かつ、前記温度センサで検出される流体温度が所定値以上の場合には、前記循環手段の運転動作を停止または前記流体回路における循環量を低下させることを特徴とするものである。
【００１７】
これにより、負荷側熱交換器へ搬送される高温の流体が、冷媒対流体熱交換器出口と流路切替手段との接続配管内に流れるのを抑制することができ、負荷側熱交換器へ搬送される高温の流体を減少できる。
【００１８】
従って、蓄熱運転から冷房運転への切り替え後において、負荷側熱交換器での室内空間への高温温風吹き出し時間を短縮でき、室内空間の快適性を向上できる。
【００１９】
また、本発明の冷温水給湯装置は、圧縮機、冷媒対流体熱交換器、減圧手段、冷媒対空気熱交換器が接続された冷媒回路と、循環手段、前記冷媒対流体熱交換器、流路切替手段、負荷側熱交換器が環状に接続された流体回路と、前記流体回路から前記流路切替手段を介して分岐し、蓄熱タンクを経由して前記負荷側熱交換器と前記冷媒対流体熱交換器との間の前記流体回路に接続された蓄熱回路と、前記冷媒対流体熱交換器にて加熱された流体温度を検出する温度センサと、制御装置とを備え、前記流路切替手段を経由した流体が前記蓄熱タンク内の水を加熱する蓄熱運転から、前記負荷側熱交換器における冷房運転に変更され、かつ、前記温度センサで検出される流体温度が所定値未満の場合に、前記流路切替手段を前記負荷側熱交換器側に切り替えることを特徴とするものである。
【００２０】
これにより、低温の流体が負荷側熱交換器へ搬送されるために、蓄熱運転から冷房運転への切り替え直後に、負荷側熱交換器での室内空間への高温温風吹き出し時間を防止でき、室内空間の快適性を向上できる。
【００２１】
従って、蓄熱運転から冷房運転への切り替え後において、負荷側熱交換器での室内空間への高温温風吹き出し時間を防止でき、室内空間の快適性を向上できる。
【発明の効果】
【００２２】
本発明によれば、蓄熱運転から冷房運転に切り替えた場合に、室内空間への温風吹き出し時間を短縮でき、室内空間の温度上昇を抑制することができる使用性の高い冷温水給湯装置を提供できる。
【図面の簡単な説明】
【００２３】
【図１】本発明の実施の形態１における冷温水給湯装置の流体回路の概略説明図（蓄熱運転）
【図２】同冷温水給湯装置の流体回路の概略説明図（冷房運転）
【図３】同冷温水給湯装置の制御装置が行う制御のフローチャート
【図４】本発明の実施の形態２における冷温水給湯装置の流体回路の概略説明図（流路切替手段切り替え前の冷房運転）
【図５】同冷温水給湯装置の流体回路の概略説明図（流路切替手段切り替え後の冷房運転）
【図６】同冷温水給湯装置の制御装置が行う制御のフローチャート
【図７】従来の冷温水給湯装置の概略構成図
【発明を実施するための形態】
【００２４】
第１の発明は、圧縮機、冷媒対流体熱交換器、減圧手段、冷媒対空気熱交換器が接続された冷媒回路と、循環手段、前記冷媒対流体熱交換器、流路切替手段、負荷側熱交換器が環状に接続された流体回路と、前記流体回路から前記流路切替手段を介して分岐し、蓄熱タンクを経由して前記負荷側熱交換器と前記冷媒対流体熱交換器との間の前記流体回路に接続された蓄熱回路と、前記冷媒対流体熱交換器にて加熱された流体温度を検出する温度センサと、制御装置とを備え、前記流路切替手段を経由した流体が前記蓄熱タンク内の水を加熱する蓄熱運転から、前記負荷側熱交換器における冷房運転に変更され、かつ、前記温度センサで検出される流体温度が所定値以上の場合には、前記循環手段の運転動作を停止または前記流体回路における循環量を低下させることを特徴とする冷温水給湯装置である。
【００２５】
これにより、負荷側熱交換器へ搬送される高温の流体が、冷媒対流体熱交換器出口と流路切替手段との接続配管内に流れるのを抑制することができ、負荷側熱交換器へ搬送される高温の流体を減少できる。
【００２６】
従って、蓄熱運転から冷房運転への切り替え後において、負荷側熱交換器での室内空間への高温温風吹き出し時間を短縮でき、室内空間の快適性を向上できる。
【００２７】
第２の発明は、圧縮機、冷媒対流体熱交換器、減圧手段、冷媒対空気熱交換器が接続された冷媒回路と、循環手段、前記冷媒対流体熱交換器、流路切替手段、負荷側熱交換器が環状に接続された流体回路と、前記流体回路から前記流路切替手段を介して分岐し、蓄熱タンクを経由して前記負荷側熱交換器と前記冷媒対流体熱交換器との間の前記流体回路に接続された蓄熱回路と、前記冷媒対流体熱交換器にて加熱された流体温度を検出する温度センサと、制御装置とを備え、前記流路切替手段を経由した流体が前記蓄熱タンク内の水を加熱する蓄熱運転から、前記負荷側熱交換器における冷房運転に変更され、かつ、前記温度センサで検出される流体温度が所定値未満の場合に、前記流路切替手段を前記負荷側熱交換器側に切り替えることを特徴とする冷温水給湯装置である。
【００２８】
これにより、低温の流体が負荷側熱交換器へ搬送されるために、蓄熱運転から冷房運転
への切り替え直後に、負荷側熱交換器での室内空間への高温温風吹き出し時間を防止でき、室内空間の快適性を向上できる。
【００２９】
第３の発明は、特に、第２の発明における冷温水給湯装置において、前記温度センサで検出される流体温度が所定値以上の場合には、前記冷媒対流体熱交換器と前記蓄熱回路とを、前記流体が循環することを特徴とするものである。
【００３０】
これにより、蓄熱運転から冷房運転へ切り替えた直後において、流路切替手段が蓄熱回路側に切り替えられている状態には、高温の流体は、冷媒対流体熱交換器と蓄熱回路とを循環して冷媒対流体熱交換器で冷却され、流体の温度が低下し、その後、流路切替手段を蓄熱回路側から負荷側熱交換器側に切り替えた場合に、温度の低下した流体が負荷側熱交換器へ流入するため、蓄熱運転から冷房運転への切り替え後において、高温の流体が負荷側熱交換器へ流入しないため、室内空間への温風吹き出し温度を低減でき、室内空間の快適性を向上できる。
【００３１】
以下、本発明の実施の形態について、図面を参照しながら説明する。なお、この実施の形態によって本発明が限定されるものではない。
【００３２】
（実施の形態１）
図１に、本発明の第１の実施の形態に係る冷温水給湯装置１０を示す。
【００３３】
この冷温水給湯装置１０は、冷凍サイクル装置１と、流体回路５と、負荷側熱交換器５３と、蓄熱タンク５５、とを備えている。
【００３４】
冷凍サイクル装置１は、冷媒を循環させる冷媒回路２を備えており、冷媒としては、例えば、Ｒ４１０Ａ等の擬似共沸混合冷媒、またはＲ３２等の単一冷媒等を用いることができる。
【００３５】
冷媒回路２は、圧縮機２１、冷媒対流体熱交換器２２、膨張弁やキャピラリーチューブなどの減圧手段２３及び冷媒対空気熱交換器２４が配管により環状に接続されて構成されている。本実施の形態では、冷媒対空気熱交換器２４と圧縮機２１の間に、気液分離を行うアキュムレータ２６が設けられている。
【００３６】
また、冷媒回路２には、蓄熱タンク５５を加熱する蓄熱運転と負荷側熱交換器５３が吸熱を行う冷房運転とを切り替えるための四方弁２５が設けられている。
【００３７】
本実施の形態では、冷凍サイクル装置１は、冷媒対流体熱交換器２２で生成した低温の流体を負荷側熱交換器５３での吸熱に利用したり、冷媒対流体熱交換器２２で生成した高温の流体を蓄熱タンク５５の加熱等に利用したりする冷温水生成装置を構成している。
【００３８】
冷媒対流体熱交換器２２は、冷媒と流体との間で熱交換を行わせる熱交換器となっている。
【００３９】
流体回路５は、流入管５１、冷媒対流体熱交換器２２、流出管５２、流路切替手段６０、負荷側熱交換器５３、循環手段５４を備え、流路切替弁である流路切替手段６０から分岐し、蓄熱タンク５５を経由して冷媒対流体熱交換器２２と負荷側熱交換器５３との間の流体回路５に合流する蓄熱回路６２と、制御装置４とを備えている。冷媒対流体熱交換器２２には、流体温度を検出する温度センサ７０が設置されている。
【００４０】
以上のように構成された冷温水給湯装置について、以下その動作、作用を説明する。
【００４１】
まず、図１では冷媒対流体熱交換器２２で生成された高温の流体が、蓄熱タンク５５を加熱する蓄熱運転の場合の冷媒および流体の流れ方向を矢印で示している。
【００４２】
圧縮機２１から吐出した高圧冷媒は四方弁２５を介して冷媒対流体熱交換器２２へ流入し、冷媒対流体熱交換器２２を流通する流体を加熱する。流体としては、水または不凍液である。
【００４３】
冷媒対流体熱交換器２２から流出した高圧液冷媒は、減圧手段２３によって減圧されて膨張した後に、冷媒対空気熱交換器２４へ流入する。冷媒対空気熱交換器２４へ流入した低圧二相冷媒は、蒸発して空気から気化熱を吸熱して、低圧の二相冷媒または過熱冷媒となって冷媒対空気熱交換器２４から流出する。
【００４４】
冷媒対空気熱交換器２４から流出した低圧冷媒は、四方弁２５を通過してアキュムレータ２６で気液分離が行われた後、気相冷媒が圧縮機２１に吸入する。
【００４５】
冷媒対流体熱交換器２２で生成された高温の流体は、流出管５２を流通し流路切替手段６０を介して蓄熱回路６２へ流入して蓄熱タンク５５を加熱し、循環手段５４を経由して流入管５１を流通して冷媒対流体熱交換器２２へ流入し循環する。
【００４６】
制御装置４は、流路切替手段６０が蓄熱回路６２側や負荷側熱交換器５３側へ向く制御や、循環手段５４の動作の制御を行う。
【００４７】
図２に示すように、蓄熱運転から、負荷側熱交換器５３が吸熱を行う冷房運転へ切り替えられた場合、制御装置４は流路切替手段６０を負荷側熱交換器５３側へ切り替える制御を行う。
【００４８】
圧縮機２１から吐出した高圧冷媒は、四方弁２５を介して冷媒対空気熱交換器２４へ流入し凝縮熱を放熱して、冷媒自身は冷却して液化凝縮する。冷却した高圧液冷媒は、冷媒対空気熱交換器２４から流出する。
【００４９】
冷媒対空気熱交換器２４から流出した高圧液冷媒は、減圧手段２３によって減圧されて膨張した後に、冷媒対流体熱交換器２２へ流入する。冷媒対流体熱交換器２２へ流入した低圧二相冷媒は、蒸発して流体から気化熱を吸熱して、低圧の二相冷媒または過熱冷媒となって冷媒対流体熱交換器２２から流出する。
【００５０】
冷媒対流体熱交換器２２から流出した低圧冷媒は、四方弁２５を通過してアキュムレータ２６で気液分離が行われた後、気相冷媒が圧縮機２１に吸入する。
【００５１】
冷媒対流体熱交換器２２で冷却された流体は流出管５２へ流出し、流路切替手段６０を介して負荷側熱交換器５３へ流入する。流体は、負荷側熱交換器５３を流通後、循環手段５４を経由して流入管５１を流通して冷媒対流体熱交換器２２へ流入し循環する。
【００５２】
冷媒対流体熱交換器２２に設置された温度センサ７０で検出される流体温度Ｔｗが、所定温度Ｔｏ以上のときに、制御装置４は循環手段５４を停止、または所定流量Ｇｏ未満に設定させ、流体温度Ｔｗが所定温度Ｔｏ未満のときに、制御装置４は循環手段５４を所定流量Ｇｏ以上に設定させる。
【００５３】
これによって、従来では、蓄熱運転から冷房運転へ切り替えた直後から、蓄熱回路６２と流体回路５との合流点、冷媒対流体熱交換器２２、流路切替手段６０とを接続する流体
回路５中の高温の流体を負荷側熱交換器５３へ搬送していたのに対して、本発明では冷媒対流体熱交換器２２内の流体が冷却されてから、負荷側熱交換器へ搬送される。
【００５４】
このために、蓄熱運転から冷房運転への切り替え直後に負荷側熱交換器５３へ搬送される高温の流体が、冷媒対流体熱交換器２２出口と流路切替手段６０との接続配管内に流れるのを抑制することができる。
【００５５】
従って、従来に比べ、蓄熱運転から冷房運転への切り替え後における、負荷側熱交換器５３へ搬送される高温の流体の体積が減少する。
【００５６】
ここで、一般に、冷却された流体を用いて冷房運転を行う装置では、所定温度Ｔｏは摂氏２０度前後に設定されていることが多いため、本実施の形態では所定温度Ｔｏは、例えば摂氏２０度に設定される。
【００５７】
また、所定流量としては定格で運転している流量より少ない流量に設定し、本実施の形態では所定流量Ｇｏは、例えば定格の１／１０に設定される。
【００５８】
以下、制御動作について詳細に説明する。温度センサ７０で検出した温度に基づいて、制御装置４は循環手段５４を制御する。
【００５９】
蓄熱運転や冷房運転の場合の制御装置４の制御を図３に示すフローチャートを参照して説明する。
【００６０】
まず、冷温水給湯装置１０の制御装置４は、蓄熱運転運要求があるか判定する（ステップＳ１）。蓄熱運転運要求がない場合は現在の状態を維持し、蓄熱運転運要求がある場合は、流路切替手段６０を蓄熱回路６２側へ切り替える（ステップＳ２）。
【００６１】
流体は、冷媒対流体熱交換器２２、流体回路５、流路切替手段６０、蓄熱回路６２、循環手段５４を環状に循環し、蓄熱タンクを加熱する。
【００６２】
制御装置４は、冷房運転要求があるか判定し（ステップＳ３）、冷房運転運要求がない場合は現在の状態を維持し、冷房運転運要求がある場合は流路切替手段６０を蓄熱回路６２側から負荷側熱交換器５３側へ切り替える（ステップＳ４）。蓄熱運転のときに循環していた高温の流体の一部は、流入管５１を介して冷媒対流体熱交換器２２へ流入する。
【００６３】
冷媒対流体熱交換器２２における温度センサ７０は流体温度Ｔｗを検出し（ステップＳ５）、流体温度Ｔｗと所定温度Ｔｏとを比較する（ステップＳ６）。
【００６４】
流体温度Ｔｗが所定温度Ｔｏ未満の場合は、高温の流体が負荷側熱交換器５３を介して室内空間へ放熱し、室内空間の快適性が損なわれる可能性が低いと判断して、蓄熱運転要求があるまで現在の状態を維持する（ステップＳ１）。
【００６５】
流体温度Ｔｗが所定温度Ｔｏ以上の場合は、高温の流体が負荷側熱交換器５３を介して室内空間へ放熱し、室内空間の快適性が損なわれる可能性が高いと判断して循環手段５４を停止、または所定流量Ｇｏ未満に設定させる（ステップＳ７）。冷媒対流体熱交換器２２内の高温の流体は、冷媒対流体熱交換器２２によって冷却される。
【００６６】
その後、冷媒対流体熱交換器２２における温度センサ７０は流体温度Ｔｗを検出し（ステップＳ８）、流体温度Ｔｗと所定温度Ｔｏとを比較する（ステップＳ９）。
【００６７】
流体温度Ｔｗが所定温度Ｔｏ未満の場合は、高温の流体が負荷側熱交換器５３を介して室内空間へ放熱し、室内空間の快適性が損なわれる可能性が低いと判断して、循環手段５４を所定流量Ｇｏ以上に設定させる（ステップＳ１０）。蓄熱運転要求があるまで現在の状態を維持する（ステップＳ１）。
【００６８】
流体温度Ｔｗが所定温度Ｔｏ以上の場合は、高温の流体が負荷側熱交換器５３を介して室内空間へ放熱し、室内空間の快適性が損なわれる可能性が高いと判断して冷媒対流体熱交換器２２内の流体は冷却され、冷媒対流体熱交換器２２における温度センサ７０は流体温度Ｔｗを検出する（ステップＳ８）。
【００６９】
以上のように、本実施の形態においては、蓄熱運転から冷房運転へ切り替えられた場合、温度センサ７０で検出される流体温度が所定温度以上のときに、循環手段５４を停止、または所定流量Ｇｏ未満に設定させ、所定温度Ｔｏ未満のときに循環手段５４を所定流量Ｇｏ以上に設定させることにより、負荷側熱交換器５３へ搬送される高温の流体は、冷媒対流体熱交換器２２出口と流路切替手段６０との接続配管内の流体に抑制することができ、負荷側熱交換器５３へ搬送する流体回路５中の高温の流体の体積を減少できる。
【００７０】
その結果、高温の流体による負荷側熱交換器５３を介しての、室内空間への高温温風吹き出し時間を短縮でき、室内空間の快適性を向上できる。
【００７１】
また、必ずしも冷媒対流体熱交換器２２に温度センサ７０を設置する必要はなく、冷媒対流体熱交換器２２の下流側付近の流体回路５に温度センサ７０を設置してもよい。
【００７２】
（実施の形態２）
図４に、本発明の第２の実施の形態に係る冷温水給湯装置１０を示す。なお、本実施の形態では、第１の実施の形態と同一構成部分には同一符号を付して、その説明を省略する。
【００７３】
本実施の形態でも、第１の実施の形態と基本構成は同様であるが、空気温度センサ７１の追加設置が異なる。即ち、第１の実施の形態の室内空間の室内空気温度を検出するために、空気温度センサ７１が設けられている。
【００７４】
上記空気温度センサ７１の追加設置されることに伴い、所定温度Ｔｏは、室内空間に設置された空気温度センサ７１の検出温度Ｔａと等しい温度に設定されている。
【００７５】
ただし、本実施例では所定温度Ｔｏとして、室内空間に設置された空気温度センサ７１の検出温度Ｔａと等しい温度に設定しているが、所定温度Ｔｏは空気温度センサ７１の検出温度Ｔａに対して、数度低く、あるいは数度高く設定することができる。
【００７６】
図５に示すように、蓄熱運転から冷房運転へ切り替えられた場合、冷媒対流体熱交換器２２に設置された温度センサ７０で検出される流体温度Ｔｗが所定温度Ｔｏ以上のときは制御装置４は流路切替手段６０を蓄熱回路６２側へ切り替え、所定温度Ｔｏ未満のときは制御装置４は流路切替手段６０を蓄熱回路６２側から負荷側熱交換器５３側へ切り替える。
【００７７】
これによって、蓄熱運転から冷房運転へ切り替えた直後において、流路切替手段６０が蓄熱回路６２側に切り替えられている状態では、高温の流体は冷媒対流体熱交換器２２、流体回路５、蓄熱回路６２、循環手段５４を循環して冷媒対流体熱交換器２２で冷却され、流体の温度が低下していく。
【００７８】
その後、流路切替手段６０を蓄熱回路６２側から負荷側熱交換器５３側へ切り替えた場合、蓄熱運転の場合より温度の低下した流体が負荷側熱交換器５３へ流入する。
【００７９】
以下、制御動作について詳細に説明する。温度センサ７０で検出した温度に基づいて、制御装置４は循環手段５４を制御する。蓄熱運転や冷房運転の場合の制御装置４の制御を図６に示すフローチャートを参照して説明する。
【００８０】
まず、冷温水給湯装置１０の制御装置４は、蓄熱運転運要求があるか判定する（ステップＳ１）。蓄熱運転運要求がない場合は現在の状態を維持し、蓄熱運転運要求がある場合は、流路切替手段６０を蓄熱回路６２側へ切り替える（ステップＳ２）。
【００８１】
流体は、冷媒対流体熱交換器２２、流体回路５、流路切替手段６０、蓄熱回路６２、循環手段５４を環状に循環し、蓄熱タンクを加熱する。
【００８２】
制御装置４は、冷房運転要求があるか判定し（ステップＳ３）、冷房運転運要求がない場合は現在の状態を維持し、冷房運転運要求がある場合は、冷媒対流体熱交換器２２における温度センサ７０は流体温度Ｔｗを検出し（ステップＳ４）、流体温度Ｔｗと所定温度Ｔｏとを比較する（ステップＳ５）。
【００８３】
流体温度Ｔｗが所定温度Ｔｏ以上の場合は、高温の流体が負荷側熱交換器５３を介して室内空間へ放熱し、室内空間の快適性が損なわれる可能性が高いと判断して現在の状態を継続し、流体は冷媒対流体熱交換器２２にて冷却され続け、冷媒対流体熱交換器２２における温度センサ７０は流体温度Ｔｗを検出する（ステップＳ４）。
【００８４】
流体温度Ｔｗが所定温度Ｔｏ未満の場合は、高温の流体が負荷側熱交換器５３を介して室内空間へ放熱し、室内空間の快適性が損なわれる可能性が低いと判断して、流路切替手段６０を蓄熱回路６２側から負荷側熱交換器５３側へ切り替える（ステップＳ６）。蓄熱運転要求があるまで現在の状態を維持する（ステップＳ１）。
【００８５】
以上のように、本実施の形態においては、蓄熱運転から冷房運転へ切り替えた直後において、温度センサ７０で検出される流体温度が所定温度Ｔｏ以上のときに、流路切替手段６０が蓄熱回路６２側に切り替えられている状態では、高温の流体は冷媒対流体熱交換器２２、流体回路５、蓄熱回路６２、循環手段５４を循環して冷媒対流体熱交換器２２で冷却され、流体の温度が低下していく。
【００８６】
その後、流路切替手段６０を蓄熱回路６２側から負荷側熱交換器側５３へ切り替えた場合、蓄熱運転の場合より温度の低下した流体が負荷側熱交換器５３へ流入する。
【００８７】
その結果、蓄熱運転から冷房運転への切り替え後において、高温の流体が負荷側熱交換器５３へ流入しないため、従来に比べ、室内空間への温風吹き出し温度を防止でき、室内空間の温度上昇を抑制できる。
【００８８】
また、この場合、流体の所定温度Ｔｏを室内空間の室内空気温度を基に設定されているため、第１の実施の形態に示した所定温度Ｔｏが摂氏２０度の場合に対して、室内空間の室内空気温度が高い場合は、所定温度Ｔｏが室内空気温度の検出温度Ｔａ、または、その付近の温度になった時点で、流路切替手段６０を蓄熱回路６２側から負荷側熱交換器５３側へ切り替えるため、第１の実施の形態の場合と比べて冷房待機運転から冷房運転へ早い段階で切り替えることができる。
【００８９】
その結果、第１の実施の形態の場合と比べて、流体が冷媒対流体熱交換器２２、流体回
路５、流路切替手段６０、蓄熱回路６２、循環手段５４を環状に循環している冷房待機時間の短縮化を図ることができるため、エネルギー効率を向上させることができる。
【００９０】
なお、冷媒対流体熱交換器２２に設置された温度センサ７０で検出される流体温度Ｔｗに基づいて流路切替手段６０を切り替えていたが、温度センサ７０の代わりに、冷房運転要求が生じてからの経過時間検出のためのタイマーに基づいて流路切替手段６０を切り替えてもよい。
【００９１】
また、必ずしも冷媒対流体熱交換器２２に温度センサ７０を設置する必要はなく、冷媒対流体熱交換器２２の下流側付近の流体回路５に温度センサ７０を設置してもよい。
【産業上の利用可能性】
【００９２】
以上のように、本発明にかかる冷温水給湯装置は、蓄熱運転から冷房運転へ切り替えた場合、冷房運転の場合の室内空間の快適性を向上することができるので、流体を加熱し、その流体を室内空間の加熱に利用する冷温水給湯暖房装置等の用途にも適用できる。
【符号の説明】
【００９３】
２  冷媒回路
４  制御装置
５  流体回路
１０  冷温水給湯装置
２１  圧縮機
２２  冷媒対流体熱交換器
２３  減圧手段
２４  冷媒対空気熱交換器
５３  負荷側熱交換器
５４  循環手段
５５  蓄熱タンク
６０  流路切替手段（流路切替弁）
【図１】
2012167889.tif 000003
【図２】
2012167889.tif 000004
【図３】
2012167889.tif 000005
【図４】
2012167889.tif 000006
【図５】
2012167889.tif 000007
【図６】
2012167889.tif 000008
【図７】
2012167889.tif 000009